(57)【特許請求の範囲】
【請求項１】
試料を入れた回転体を高速回転させるための駆動装置と、回転数、運転時間等の遠心条件を入力するための操作部と、入力した遠心条件等を表示する表示部を有する遠心分離機において、前記回転体が所定の回転数に達し、且つ、前もって定められた時間が経過した後、前記表示部の表示内容を変更する制御装置を有することを特徴とした遠心分離機。
【請求項２】
前記回転体が所定の回転数に達し、かつ、前もって定められた時間が経過した後、前記表示部の表示内容を変更し、運転時間終了所定時間前に表示内容を元に戻す制御装置を有することを特徴とした請求項１記載の遠心分離機。
【請求項３】
前記回転体が所定の回転数に達し、かつ、前もって定められた時間が経過した後、前記表示部の一部を拡大して表示する制御装置を有することを特徴とした請求項１記載の遠心分離機。
【請求項４】
前記した所定回転数が前記操作部より設定した回転数であることを特徴とする請求項１記載の遠心分離機。
【請求項５】
表示内容が変更となっている状態で停止操作が行われた場合、表示内容を元に戻すことを特徴とする請求項１記載の遠心分離機。
【請求項６】
表示が変更になった後、所定のスイッチを有効にさせれば表示内容が元に戻ることを特徴とする請求項１記載の遠心分離機。
【発明の詳細な説明】
【０００１】
【発明の属する技術分野】
本発明は、遠心分離機のように回転体を高速で回転させる機器の遠心条件等を表示する方法に関するものである。
【０００２】
【従来の技術】
この種の遠心分離機は分離するサンプルに合せ使用者が回転数、運転時間（分離時間）、保持温度、加速勾配、減速勾配等のいわゆる分離条件を変えて使用する。このため、この種の遠心分離機には設定した条件や実際の状態を表示させる表示部を持たせる場合が多い。これらの表示は従来、アナログメータで表示させたり、７セグメントＬＥＤを並べて表示させていた。しかし、近年遠心分離機の使い勝手向上のため多種の機能を付加させるケースが増えており、より多くの情報を自由度高く表示できる平面型ディスプレイと呼ばれるＬＣＤ（液晶ディスプレイ）やＰＤＰ（プラズマディスプレイパネル）、ＥＬＰ（エレクトロルミネッセントパネル）等を用いて多機能表示するケースが増えている。なお、多種機能とは例えば、運転条件を記憶させるプログラム機能や回転中の遠心加速度（×ｇ）や遠心効果（ｇ×sec)を表示したり、あるいはこれらの数値から回転数や分離時間を逆算する機能等である。
【０００３】
【発明が解決しようとする課題】
前記した平面型ディスプレイを用いての表示は情報量を多く表示できる反面、ディスプレイはその大きさに制限があることから一つ一つの表示エリアが小さくなり、その結果、条件を設定する時や遠心分離機の近くにいる時は良いが遠心分離機から離れると表示が見えにくくなるといった問題があった。
【０００４】
本発明の目的は上記した従来技術の欠点に鑑みてなされたものであり、使用者が遠心分離機から離れていても必用な情報を確認し易い手段を提供することにある。
【０００５】
【課題を解決するための手段】
上記目的は、回転体の回転状態により表示を変えること、すなわち使用者が遠心分離機近くに居る場合が多い条件設定から回転体の加速、整定までの間と遠心分離機から離れがちな整定後とで表示内容を変えることで達成される。
【０００６】
【発明の実施の形態】
図１に本発明になる表示内容を変える前と後の表示部の一実施例を、図２に回転体の状態と表示内容の関係を説明する図を、図３に遠心分離機の外観をそれぞれ示す。図３において、使用者は試料をいれた回転体３を駆動装置４の上に装着し表示部７を確認しながら操作部６より運転条件を入力する。通常、入力する運転条件には分離効果を決めるための回転数、運転時間およびサンプルを最適な状態に保持するための制御温度の他、加、減速時の舞い上がりを左右する勾配の傾き等がある。この加、減速時の勾配の影響についてさらに詳しく説明する。遠心分離の一手法であるしょ糖液の密度を連続的に変化させて試験管に注入し、その上にサンプルを乗せて分離する密度勾配沈降速度法を例にとると、サンプルおよび密度勾配液が回転により重力場から遠心力が加わる遠心力場に移行する過程で試験管内に渦が生じるため、せっかく作った密度勾配が乱れて分離に影響を及ぼす心配がある。この渦の大小が遠心力場に移行する時の加速度によって異なるため、ある種の遠心分離機では加速時の加速度を変えられる機能がついている。また、減速においても、せっかくの分離が乱れたり、または沈殿物が舞い上がったりするのを防止するため、減速時の加速度を変えられるようになっている。
【０００７】
一方、表示部は図１(a)に示すように上記した運転条件の設定値が下段に、状態値が上段に並べて表示されている運転条件および状態表示部１の他に特殊機能表示部２がある。この特殊機能表示部２は本例では同じ分離を再々行う時に便利な運転条件記憶のための「PROGRAM」選択エリア、遠心加速度を表示させるまたは遠心加速度から回転数を逆算させるための「RCF」選択エリア、遠心効果を意味する遠心加速度（×ｇ）と時間（sec）の積であるｇ・secの表示、またはｇ・secから回転数もしくは運転時間を逆算させるための「g・sec」選択エリアからなっている。
【０００８】
使用者が遠心分離機を使う場合、上記したように表示部７を見ながら運転条件を設定するかもしくは特殊機能表示部２の「PROGRAM」を選択して記憶部から登録された運転条件を呼び出した後、スタートスイッチをONする。そして、加速に要する時間が数十秒から数分と短いこともあり、セットミス等で遠心分離機本体の安全装置が働いて途中でストップすることはないかを確認すべく、回転体３が設定回転数に達するまで遠心分離機１０の近くに居る場合が多い。そして、運転時間が通常、数分から数時間、長い場合で十数時間と加速時間に比べ長いことから、回転体３が整定すると使用者は遠心分離機１０から離れて他の仕事をするのが一般的である。一方、重要度の高い表示は条件設定時や加速時と設定回転数に整定している時では異なる。すなわち整定中は現在の回転に関係のある情報が特に重要であり、加、減速の勾配や特殊機能の表示は重要でないことから図１(b)に例を示すように回転数と時間、温度表示のみとし、不要な情報を削除し必用な情報のみを表示しても使用者に不利益をおよぼすことはなく、むしろ表示を見易くすることができる。また、図１(c)に例を示すように限定した情報を拡大表示すれば遠心分離機から離れがちになる整定中の運転状況が遠くからでもさらに確認し易くすることができる。さらには、回転数（SPEED）、運転時間（TIME）、制御温度（TEMP）を一定間隔で順次拡大表示すれば（図示せず）各々の表示エリアをより広く取ることができ、さらに見易くなる。
【０００９】
なお、表示切替えのタイミングは上記したように回転体が整定して所定時間経過後が良い（図２）が設定回転数に達していなくても、その状況状況で不要な表示を削除して行き、その分必用な表示エリアを広げる方法も使用者に見易い表示を提供することになる。
【００１０】
また、運転時間が経過し減速に移る際には減速勾配の条件を確認したり、今回の遠心分離の条件が一目でわかるように再度最初の表示形態に戻すとさらに使い勝手が向上する。もちろん、減速に移る直前でなくとも減速移行の所定時間前に表示を戻しても同様の効果が期待できる。また、時間が経過するまえに使用者が停止操作を行った場合（図２のＰ点）、表示を元に戻すことも同様の効果が期待できる。
【００１１】
【発明の効果】
本発明によれば、遠心分離機の回転体の回転状況に応じて表示方法、表示内容を変えられるようにしたので、遠心分離機から離れがちになる整定中の運転状況を遠くから確認し易くすることができる。
【図面の簡単な説明】
【図１】  本発明になる表示部の表示方法の一実施例を示す図である。
【図２】  回転体の状態と表示内容の関係を説明する図である。
【図３】  遠心分離機の外観を示す図である。
【符号の説明】
図において、１は運転条件および状態表示部、２は特殊機能表示部、３は回転体、４は駆動装置、６は操作部、７は表示部、９は制御装置、１０は遠心分離機である。
【図１】
0003714021.tif 000002
【図２】
0003714021.tif 000003
【図３】
0003714021.tif 000004